(57)【特許請求の範囲】
【請求項１】
入力データストリームを受信し、伝達関数を前記入力データストリームに適用して成形データを生成するように構成されたデジタル信号プロセッサ（２０２、２０２ａ）、及び
前記成形データに応じて光信号を変調し、変調光信号のシンボルレートよりも広いチャネル間隔及び第１及び第２の肩部の間に中央部分を有するステップ関数のスペクトル形状を有する前記変調光信号を供給するように構成された変調器（２０６、２０６ａ）
を備え、前記第１及び第２の肩部の電力が前記中央部分のピーク電力の約１／２であり、前記ステップ関数のスペクトル形状の合計の電力がナイキスト信号に等しいことを特徴とするシステム。
【請求項２】
前記成形データをアナログ信号に変換するように構成されたデジタルアナログ変換器（２０４）をさらに備え、前記変調器（２０６、２０６ａ）が、前記光信号を前記アナログ信号に応じて変調するように構成された、請求項１に記載のシステム。
【請求項３】
前記スペクトル形状が受信機においてゼロ符号間干渉を与えるように名目上構成された、請求項１に記載のシステム。
【請求項４】
前記変調光信号を受信し、前記光信号を表す電気信号を供給する検出器（３０２）、及び
前記伝達関数に対応する整合フィルタを適用し、前記電気信号に応じて前記入力データストリームを表す出力を供給するように構成された受信機デジタル信号プロセッサ（３０６）
をさらに備える請求項１に記載のシステム。
【請求項５】
固定のシステム帯域幅上で前記システム上のチャネルに対して固定総電力で光信号を通信するように構成された請求項１に記載のシステム。
【請求項６】
光通信システムにおける非線形障害の影響を軽減する方法であって、
デジタルデータ信号を受信するステップ、
前記デジタルデータ信号を成形して成形データを供給するステップ、及び
変調光信号のシンボルレートよりも広いチャネル間隔及び第１及び第２の肩部の間に中央部分を有するステップ関数のスペクトル形状を有する前記変調光信号を供給するように前記成形データに応じて光信号を変調し、前記第１及び第２の肩部の電力が前記中央部分のピーク電力の約１／２であり、前記ステップ関数のスペクトル形状の合計の電力がナイキスト信号に等しいことを特徴とするステップ
を備える方法。
【請求項７】
前記成形データをアナログ信号に変換するステップをさらに備え、前記光信号を変調するステップが、前記アナログ信号に応じて前記光信号を変調することを備える、請求項６に記載の方法。
【請求項８】
前記スペクトル形状が、受信機においてゼロ符号間干渉を与えるように名目上構成された、請求項６に記載の方法。
【請求項９】
前記変調光信号を受信機において検出して前記変調光信号を表す電気信号を供給するステップ、及び
整合フィルタを前記電気信号に適用し、前記電気信号に応じて前記入力データストリームを表す出力を供給するステップ
をさらに備える請求項６に記載の方法。
【請求項１０】
前記システムが、固定のシステム帯域幅上で前記システム上のチャネルに対して固定総電力で光信号を通信するように構成された、請求項６に記載の方法。
【発明の詳細な説明】
【技術分野】
【０００１】
光ファイバ伝送システムの伝送容量を最大化するために、いわゆる波長分割多重（ＷＤＭ）システムにおいて、単一光ファイバが複数の光信号の搬送に使用され得る。その複数の光信号は、多重化されて、別個のチャネル上で変調される複数の信号の各々を有する多重化信号すなわちＷＤＭ信号を形成する。各チャネルは、例えば国際電気通信連合（ＩＴＵ）により規定されたチャネル計画に従って、定義されたチャネル間隔によって隣接チャネルから分離された対応の波長に基づいて集約され得る。システム上で伝送され得る波長の範囲はシステムの帯域幅として知られている。システムは、それらのシステム帯域幅を利用して、所望数のチャネルを所望の変調フォーマット及びビットレートで搬送することができる。
【背景技術】
【０００２】
ＷＤＭ信号を搬送する長距離の、例えば大洋横断光ファイバ伝送経路は、ＷＤＭ信号の成形に影響を与えるような多くの障害にさらされ、受信機における信号の歪をもたらす。伝送経路上で信号にもたらされる障害は、線形障害及び非線形障害の双方を含む。これらの障害の原因には、例えば、エルビウム添加光ファイバ増幅器（ＥＤＦＡ）で生成される自然放出光（ＡＳＥ）雑音、光ファイバ指標の伝搬光強度への依存性により引き起こされる非線形な影響、波長分散特性、偏光モード分散、及び光ファイバの非線形指標により発生するチャネル間のクロストークがある。
【０００３】
障害は、ＷＤＭシステムにおいて、そのシステムのチャネル間隔に影響される。一般に、システムの帯域幅のより効率的な利用が可能となるので、より狭いチャネル間隔が望ましい。残念ながら、線形及び非線形伝送障害は、チャネル間隔が狭くなるほど悪化し得る。
【発明の概要】
【発明が解決しようとする課題】
【０００４】
線形障害に関しては、送信機及び受信機で矩形の整合フィルタを用いることにより、システムのチャネル間隔は、線形性能の損失なくシンボルレート（１秒間に伝送されるシンボル数）に等しくなるように狭めることができる。システムのシンボルレートに等しいチャネル間隔を有するシステムを、ナイキストチャネル間隔を有するシステムという。
【０００５】
ナイキストチャネル間隔は、線形性能の観点では最適なチャネル間隔となり得るが、一般に非線形性能に関しては最適なチャネル間隔とはならない。非線形障害の影響は、ナイキストチャネル間隔よりも広いチャネル間隔、すなわちスペクトル拡幅によって軽減され得ることが分かっている。例えば、米国特許第５５２６１６２号及び６５５６３２６号に記載されているように、同期的な振幅変調又は位相変調を用いたスペクトル拡幅は、直接検波システムにおける非線形障害を低減することで知られている。
【０００６】
周知の方法は線形及び非線形障害の影響の減少に有効であったが、長距離光伝送システムの性能をさらに向上することが望ましい。
【課題を解決するための手段】
【０００７】
本発明を、添付図面を参照して例示として説明する。同様の符号は同様の部分を示す。
【図面の簡単な説明】
【０００８】
【図１】本開示によるシステムの一例の実施形態のブロック図である。
【図２】本開示による送信機の一例の実施形態のブロック図である。
【図３】本開示による受信機の一例の実施形態のブロック図である。
【図４】図２で示した送信機の一実施形態のブロック図である。
【図５】本開示による伝送信号の１つのスペクトル形を示す、周波数に対する正規化された電力を示すプロットである。
【図６】本開示による伝送信号の別のスペクトル形状を示す、周波数に対する正規化された電力を示すプロットである。
【図７】本開示によるシステムの性能を示す、チャネル間隔に対するＱファクタの関係を表すプロットである。
【図８】本開示によるシステムの性能を示す、光信号対雑音比に対するＱファクタの関係を表すプロットである。
【図９】本開示による方法の一例を示すフローチャートである。
【発明を実施するための形態】
【０００９】
本発明は光信号伝送及び検出に関し、より詳細には、スペクトル成形及び拡張チャネル間隔を利用するシステム及び方法に関する。
【００１０】
概略として、本開示によるシステムは、伝送された信号のスペクトル成形を用いて線形及び非線形障害双方の影響を軽減する。このシステムはデジタル信号プロセッサ（ＤＳＰ）を用いて、伝送された信号を成形し、成形スペクトル、すなわち非矩形のスペクトルに、ナイキストチャネル間隔よりも広いチャネル間隔を与えることができる。受信機において符号間干渉（ＩＳＩ）が名目上ゼロとなるようにスペクトルが成形され得る。例えば、伝送されたスペクトルには、ナイキストチャネル間隔よりも広いチャネル間隔を有するレイズドコサイン又はステップ関数が与えられ得る。受信機は、コヒーレント検波及び整合フィルタリングで伝送された信号を検出する。
【００１１】
図１は、本開示によるＷＤＭ伝送システム１００の一例の実施形態の簡略化されたブロック図である。伝送システムは、複数の光チャネルを光情報経路１０２上で送信端末１０４から遠隔位置にある１以上の受信端末１０６へ伝送するように作用する。例示のシステム１００は、チャネルを送信機から５０００ｋｍ以上離れた受信時に伝送するために構成された長距離海底システムであってもよい。例示の実施形態は光システムの関連で記載され、長距離ＷＤＭ光学システムとの関係において有用であるが、ここに記載される広範な概念は、例えば地上システム及び短距離システムを含む、他のタイプの信号を送受信する他の通信システムにおいても実施され得る。
【００１２】
当業者であれば、システム１００は説明の容易化のために大幅に簡略化されたポイントトゥポイントシステムとして図示されていることを認識するはずである。例えば、送信端末１０４及び受信端末１０６は、もちろん、双方とも送受信機として構成されてもよく、それによって各々が送信機能及び受信機能の双方を実行するように構成され得る。ただし、説明の容易化のために、端末は、ここでは送信機能又は受信機能に関してのみ図示及び記載される。開示によるシステム及び方法が多種多様なネットワーク要素及び構成に取り入れられ得ることが理解されるはずである。ここで説明する例示の実施形態は、限定ではなく、例示のみとして提供される。
【００１３】
説明する例示の実施形態では、複数の送信機ＴＸ１、ＴＸ２・・・ＴＸＮの各々は対応の入力ポート１０８−１、１０８−２・・・１０８−Ｎでデータ信号を受信し、データ信号を対応の波長λ１、λ２・・・λＮで送信する。送信機ＴＸ１、ＴＸ２・・・ＴＸＮの１以上は、本開示による、線形及び非線形障害の影響を軽減するためにＤＳＰを用いて伝送された信号を成形するように構成され得る。送信機は、もちろん、説明の容易化のために大幅に簡略化された形式で示されている。当業者であれば、データ信号を所望の振幅及び変調でその対応の波長で送信するために構成された電気的及び光学的部品を各送信機が含み得ることを認識するはずである。
【００１４】
伝送波長又はチャネルは、複数の経路１１０−１、１１０−２・・・１１０−Ｎでそれぞれ搬送される。データチャネルは、マルチプレクサ又はコンバイナ１１２によって光経路１０２上で統合信号に合波される。光情報経路１０２は、光ファイバ導波路、光増幅器、光学フィルタ、分散補償モジュール並びに丘の能動及び受動部品を含み得る。
【００１５】
統合信号は、１以上の遠隔受信端末１０６で受信される。デマルチプレクサ１１４は、波長λ１、λ２・・・λＮの伝送チャネルを、対応の受信機ＲＸ１、ＲＸ２・・・ＲＸＮに結合された対応の経路１１６−１、１１６−２・・・１１６−Ｎ上に分離する。受信機ＲＸ１、ＲＸ２・・・ＲＸＮの１以上は、コヒーレント検波とＤＳＰを用いて受信信号を検出し復調するように構成され、対応の出力経路１１８−１、１１８−２、１１８−３、１１８−Ｎ上に対応する出力データ信号を供給する。
【００１６】
図２は、本開示による一例の送信機２００の簡略化されたブロック図である。説明する例示の実施形態２００は、デジタル信号プロセッサ（ＤＳＰ）２０２、デジタルアナログコンバータ（ＤＡＣ）２０４、及び変調された出力をキャリア波長λＮ上に供給するための連続波レーザ２０８の出力を変調する変調器２０６を含む。
【００１７】
より詳細に説明するように、ＤＳＰ２０２は、入力デジタルデータを経路１０８−Ｎ上で受信し、ＤＡＣ２０４に結合した成形データ出力を供給するように構成されることができる。周知のように、ＤＳＰは、例えば、直接及び／又はソフトウェア命令の制御下で、特定の命令シーケンスを実行するように構成された１以上の特定用途向け集積回路（ＡＳＩＣ）及び／又は専用プロセッサを用いた信号処理を含む。
【００１８】
ＤＡＣ２０４は、ＤＳＰ２０４からの成形データ出力を変調器２０６に結合したアナログ信号に変換することができる。変調器２０６は、連続波レーザ２０８の搬送波長λＮを、ＤＡＣ２０４の出力に応じて、周知の任意の変調方法で変調することができる。変調器は、このようにしてＤＳＰの成形データ出力により決定するパワースペクトル密度を有する出力を供給する。変調器２０６の成形出力は、ＷＤＭシステムのマルチプレクサ１１２（図１）に結合されることができる。
【００１９】
図３は、本開示による一例の受信機３００の簡略化されたブロック図である。説明する例示の実施形態３００は、光信号検出器３０２、アナログデジタルコンバータ（ＡＤＣ）３０４及びＤＳＰ３０６を含む。検出器３０２は周知のコヒーレント受信機、例えば、偏波ダイバシティコヒーレント受信機を含むことができ、その周知のコヒーレント受信機は、光キャリア波長λＮ上で信号を受信し、変調器２０６（図２）によって光キャリア波長λＮ上に変調されたデータを表す１以上の対応の電気出力（例えば、偏波多重変調フォーマットにおいて各偏波に対応付けられた出力）に光信号を変換するように構成されている。コヒーレント受信機は周知であり、例えば、ホモダイン又はヘテロダイン検波などのコヒーレント検波を用いて、変調された光信号を検波する。ここで受信機に関連して使用される場合の用語「コヒーレント」は、受信信号を検波するための局部発信器（ＬＯ）を含む受信機について言及するものである。
【００２０】
検出器の電気出力はＡＤＣ３０４に結合される。ＡＤＣは、検出器の出力を、ＤＳＰ２０２（図２）の出力において供給された成形データを表すデジタル信号に変換する。ＡＤＣの出力はＤＳＰ３０６に結合される。ＤＳＰ３０６は信号を復調し、ＤＳＰ２０２（図２）への入力において供給されたデータを表す出力を供給する。
【００２１】
当業者であれば、本開示によるシステムの送信機と受信機の特定の構成が、システムで利用される変調フォーマットに依存することを認識するはずである。例えば、直交位相振幅変調（ＱＡＭ）システムなどの位相変調システムでは、送信機のＤＳＰ２０２は入力データの実部及び虚部のデジタルフィルタリングを含み得る。
【００２２】
図４は、例えば、位相変調システムとの接続に有用な送信機２００（図２）の実施形態２００ａの簡略化されたブロック図である。例示の実施形態では、送信機２００ａは、アップサンプラ４０２、デジタルフィルタ４０４、並びに第１及び第２のＤＡＣ２０４を含むＤＳＰ２０２（図２）の実施形態２０２ａを含む。周知の方法においては、アップサンプラ４０２はデータレートよりも高いレートで入力データをサンプリングし、サンプリングされた信号をデジタルフィルタ４０４に供給する。デジタルフィルタ４０４はアップサンプラ４０２の出力をフィルタリングし、信号の実部及び虚部に対する成形データを、それぞれ対応のＤＡＣ２０４に供給する。ＤＡＣ２０４の出力は、信号の実部及び虚部成分として変調器２０６ａに結合されてレーザ２０８の出力上に変調される前に、対応の線形ドライバ４０６とローパスフィルタ４０８に結合される。偏波多重システムでは、入力信号の各偏波は、図４に示される送信機２００ａ構成を利用して伝送されることができる。
【００２３】
概略として、送信機のＤＳＰ２０２は、関数ＨＴ（ｆ）により伝送信号を成形する。伝送されるデータシンボルが互いに独立である限り、伝送パワースペクトルは｜ＨＴ（ｆ）｜２に等しい。ＤＳＰ３０６は、形状ＨＲ（ｆ）を有する整合フィルタを実装する。
【００２４】
本開示によるシステムにおいては、ＤＳＰ２０２が伝送信号に与えるスペクトル形状は、名目上はゼロ符号間干渉（ＩＳＩ）という条件を与えるように構成される。白色ガウス雑音チャネルに対してゼロＩＳＩという条件を満たすには、整合フィルタ受信機でシンボルレートＲ及びＷＤＭチャネル間隔をＷとすると、受信機においてフィルタリングされてサンプリングされた信号のフーリエ変換Ｘ（ｆ）は名目上以下を満たすべきである。
【数１】
0006538666.tif 000002
（式１）
【００２５】
この条件によってＷ＞Ｒの場合に様々なスペクトル形態が可能となる。Ｗ＝Ｒの場合に帯域幅効率が最も良いゼロＩＳＩのＷＤＭが名目上矩形スペクトル形状で生じるとすると、Ｗを増加させつつ条件Ｗ＝ＲをＷの基準点として用いることができる。Ｗの値は、単純化のためＷ＜２Ｒに維持され得る。この制限の下で、信号Ｓ（ｆ）のパワースペクトル密度は、名目上、以下のゼロＩＳＩのための退化した対称条件を満たすべきである（便宜上スペクトルを値１に正規化している）。
｜ｆ｜≦Ｒ−Ｗ／２について、Ｓ（ｆ）＝１、
Ｒ−Ｗ／２≦ｆ≦Ｗ／２について、Ｓ（ｆ）＋Ｓ（ｆ−Ｒ）＝１、及び
−Ｗ／２≦ｆ≦Ｗ／２−Ｒについて、Ｓ（ｆ）＋Ｓ（ｆ＋Ｒ）＝１  （式２）
【００２６】
様々なスペクトル形状が、式２の条件を満たすようにＤＳＰ２０２によって確立され得る。図５及び６は、例えば、プロット５０２及び６０２を含み、それぞれは正規化されたスペクトルパワー密度に対する周波数のレイズドコサイン及びステップ関数であり、これらの条件を満たす。単純化及び説明の容易化のために、図５及び６は、Ｗ＝２３.５ＧＨｚ及びＲ＝１６.７ＧＨｚを用いる。当業者であれば、Ｗ及びＲに他の値を用いてもよいことを認識するはずである。図５及び６における５０４の破線は、比較のためのナイキストスペクトルのプロット、すなわちナイキストチャネル間隔を有する矩形関数である。
【００２７】
図５に示すレイズドコサインの形状についてロールオフを調整することにより、内部チャネルＷＤＭクロストークが最小化され得る。ロールオフを大きくすると、水平アイ開口が大きくなり、受信機の信号処理が容易になるといった他の利点もある。
【００２８】
図６に示すステップ関数は、２つの強度レベル、すなわち１及び１／２を有し、ｆ＝±（Ｒ−Ｗ／２）のレベル間で遷移する。ステップ関数の値は｜２ｆ｜＞Ｗでゼロである。ステップ関数を用いると、周波数｜ｆ｜≦Ｒ−Ｗ／２におけるＳ（ｆ）を１に等しくしたままで、周波数帯域−Ｗ／２≦ｆ≦Ｗ／２−Ｒ及びＲ−Ｗ／２≦ｆ≦Ｗ／２（すなわちステップ関数の肩部）におけるＳ（ｆ）のピークが、他のＳ（ｆ）を選択した場合と比較して最小化される。
【００２９】
図７は、本開示によるスペクトル成形を用いたシステムの理論性能を説明する、チャネル間隔に対するＱファクタのプロット７０２、７０４及び７０６を含む。図７はまた、本開示によるスペクトル成形を用いたシステムの実際の性能を説明する、チャネル間隔に対するＱファクタの実験結果に対応する白抜き記号７０８、７１０及び７１２を含む。プロット７０２は、図５及び６におけるプロット５０４に示すようなナイキストスペクトルのチャネル間隔に対するＱファクタのプロットである。白抜き記号７０８及び７１０は、図５及び６におけるプロット５０４に示すようなナイキストスペクトルのチャネル間隔に対するＱファクタの実験結果を示す。プロット７０４は、図５のプロット５０２に示すようなレイズドコサインスペクトル形状のチャネル間隔に対するＱファクタのプロットである。プロット７０６は、図６のプロット６０２に示すようなステップ関数スペクトル形状のチャネル間隔に対するＱファクタのプロットである。白抜き記号７１２は、図６におけるプロット６０２に示すようなステップ関数スペクトル形状のチャネル間隔に対するＱファクタの実験結果を示す。
【００３０】
図７に示すように、より広いチャネル間隔によって一般にピークＱ性能が向上する。一方、ナイキストスペクトルでは、性能有効性はプロット７０２に示すチャネル間隔で飽和する。しかし、プロット７０４及び７０６は、本開示によるスペクトル成形が適用された場合に、チャネル間隔の増加に伴って性能が著しく向上することを示している。プロット７０６及び７０４に示したように、ステップ関数のスペクトル形状は、レイズドコサインスペクトル形状と比較して、特により広いチャネル間隔で、より大きな利点がある。図７の白抜き記号７０８、７１０及び７１２は、プロット７０２、７０４及び７０６に示す理論計算に合致する実験結果を示す。
【００３１】
図８は、本開示によるステップ関数スペクトル形状の性能を示す、測定された光信号対雑音比（ＯＳＮＲ）に対するＱファクタのプロット８０２、８０４及び８０６を含む。図８のプロットは、シンボルレート１６．６４ＧＢｓ、ＦＥＣオーバーヘッド２８％、ネットデータレート１０４Ｇｂ／ｓの８、１６ＱＡＭチャネルのシステムから得られた。チャネルは、一段階のＥＤＦＡを有する１１区間の６６１２ｋｍの距離にわたって伝送された。伝送経路は、１５５０ｎｍにおいて２１．６ｐｓ／ｎｍ／ｋｍ の平均ファイバ分散を有し、性能は１５４９ｎｍにおいて測定された。
【００３２】
プロット８０２は、矩形でＲ＝１６．７及びＷ＝１７ＧＨｚのナイキストスペクトルを近似したスペクトルの性能のプロットである。プロット８０４は、Ｒ＝１６．７及びＷ＝２３．５ＧＨｚ、すなわちナイキスト間隔より広いチャネル間隔を有する矩形で、矩形を近似したスペクトルの性能のプロットである。プロット８０６は、Ｒ＝１６．７及びＷ＝２３．５ＧＨｚを有し、本開示によるステップ関数スペクトル形状の性能のプロットである。図示するように、ナイキストチャネル間隔と比べてチャネル間隔を増加させること及び伝送スペクトルを本開示によるステップ関数スペクトル形状を与えるように成形すること（プロット８０６）によって、ナイキストスペクトル（プロット８０２）又はチャネル間隔を増加した非成形の（矩形）スペクトル（プロット８０４）と比較して大幅な改善が得られる。
【００３３】
図９は本開示による方法９００を示すフローチャートである。処理９０２はデジタルデータ信号の受信を含む。デジタルデータ信号が成形されて（９０４）成形データを与える。光信号が変調され（９０６）成形データに応じて、変調光信号のシンボルレートよりも広いチャネル間隔及び非矩形スペクトル形状を有する変調光信号を供給する。
【００３４】
図９は実施形態による種々の処理を示すが、図９に図示する処理の全てが必ずしも他の実施形態に対して必要とはならないことが理解されるべきである。もちろん、本開示の他の実施形態において、図９に図示する処理及び／又はここに記載される他の処理が、いずれの図面にも具体的示されていないがそれでも本開示に完全に従う態様で組み合わされてもよいことが、ここに充分に考慮される。したがって、ある図面に厳密に示されていない構成及び／又は処理に関する請求項は、本開示の範囲及び内容のうちにあるものとみなされる。
【００３５】
開示の一形態によると、入力データストリームを受信し、伝達関数をその入力データストリームに適用して成形データを生成するように構成されたデジタル信号プロセッサ、及び成形データに応じて光信号を変調し、変調光信号のシンボルレートよりも広いチャネル間隔及び非矩形のスペクトル形状を有する変調光信号を供給するように構成された変調器を含むシステムが提供される。
【００３６】
開示の他の形態によると、デジタルデータ信号を受信し、そのデジタルデータ信号を成形して成形データを供給し、成形データに応じて光信号を変調して変調光信号のシンボルレートよりも広いチャネル間隔及び非矩形のスペクトル形状を有する変調光信号を供給することを含む、光通信システムにおける非線形障害の影響を軽減する方法が提供される。
【００３７】
ここに記載される方法の実施形態は、プロセッサ及び／又は他のプログラム可能な装置を用いて実施できる。この目的のため、ここに記載される方法は、１以上のプロセッサによって実行されたときに当該方法を実行するようにそこに記憶されたインストラクションを有する有形のコンピュータ可読記憶媒体で実施できる。したがって、例えば、送信機及び／又は受信機は、ここに記載される処理を実行する（例えば、ファームウェア又はソフトウェアでの）インストラクションを記憶する記憶媒体（不図示）を含み得る。記憶媒体は、任意のタイプの非一時的な有形媒体、例えば、フロッピーディスク、光学ディスク、コンパクトディスク読出し専用メモリ（ＣＤ−ＲＯＭ）、再書込み可能コンパクトディスク（ＣＤ−ＲＷ）及び電磁光学ディスクを含む任意のタイプのディスク、読出し専用メモリ（ＲＯＭ）、ダイナミック及びスタティックＲＡＭなどのランダムアクセスメモリ（ＲＡＭ）、消去可能プログラマブル読出し専用メモリ（ＥＰＲＯＭ）、電気的に消去可能なプログラマブル読出し専用メモリ（ＥＥＰＲＯＭ）、フラッシュメモリ、磁気若しくは光学カードなどの半導体装置、又は電子的インストラクションを記憶するのに適した任意のタイプの媒体を含み得る。
【００３８】
ここでのいずれのブロック図も、開示の原理を具現する例示的回路の概念的な図を表していることが当業者には分かるはずである。同様に、いずれのフローチャート、フロー図、状態遷移図、疑似符号などはコンピュータ可読媒体において実質的に表され、コンピュータ又はプロセッサによって、そのようなコンピュータ又はプロセッサが明示的に示されているか否かにかかわらず、そのように実行され得る種々の処理を表すことが分かるはずである。ソフトウェアモジュール、又は単にソフトウェアであることが示唆されるモジュールは、フローチャートの要素又は処理ステップ及び／若しくはテキストの記述の実行を示す他の要素の任意の組合せとしてここに示され得る。そのようなモジュールは、明示的に又は暗に示されるハードウェアによって実行され得る。
【００３９】
任意の機能的ブロックを含む図面に示す種々の要素の機能は、専用ハードウェア又は適切なソフトウェアとの関連でソフトウェアを実行することができるハードウェアの使用によって与えられる。プロセッサによって与えられる場合、機能は、単一の専用プロセッサによって、単一の共有プロセッサによって、又はそのいくつかは共有され得る複数の個別のプロセッサによって与えられる。さらに、用語「プロセッサ」又は「コントローラ」の明示的な使用は、ソフトウェアを実行することができるハードウェアを排他的に意味するものと解釈されるべきではなく、暗に、限定ではなく、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読出し専用メモリ（ＲＯＭ）、ランダムアクセスメモリ（ＲＡＭ）及び不揮発性ストレージを含み得る。他の従来的な及び／又はカスタムのハードウェアも含まれ得る。
【００４０】
いずれかの実施形態において使用される「回路」は、例えば、単独で又は任意の組合せにおいて、ハードウェア回路、プログラム可能な回路、状態機械回路、及び／又はプログラム可能な回路によって実行されるインストラクションを記憶するファームウェアを備え得る。少なくとも１つの実施形態において、送信機及び受信機は１以上の集積回路を備え得る。「集積回路」は、例えば、ただし限定するわけではなく、半導体集積回路チップなどの、デジタル、アナログ若しくは混合信号用の半導体装置及び／又は小型電子装置であればよい。ここで使用される「結合された」という用語は、それにより１システム要素により搬送される信号が「結合された」要素へ与えられる任意の接続、結合、リンクなどを示している。そのような「結合された」装置、又は信号及び装置は、必ずしも互いに直接接続されている必要はなく、その信号を操作又は変更することができる中間の構成要素又は装置により分離され得る。ここで使用される「名目の」又は「名目上」という用語の使用は、量に言及する場合に、指定された又は理論的な量を示し、実際の量から変動し得る。
【図１】
0006538666.tif 000003
【図２】
0006538666.tif 000004
【図３】
0006538666.tif 000005
【図４】
0006538666.tif 000006
【図５】
0006538666.tif 000007
【図６】
0006538666.tif 000008
【図７】
0006538666.tif 000009
【図８】
0006538666.tif 000010
【図９】
0006538666.tif 000011